(57)【特許請求の範囲】
【請求項１】
駐車設備の入出庫部と外部との区画を仕切る入出庫扉を備え、前記入出庫部で入出庫を行った利用者が前記入出庫扉を閉め忘れるのを防止する機械式駐車設備の入出庫扉閉め忘れ防止システムであって、
前記駐車設備の受信機に対して呼び操作信号を送信するリモコン装置を備え、
前記受信機は、前記リモコン装置との間で信号を送受信する送受信機であり、
前記リモコン装置は、前記呼び操作信号の送信後、前記入出庫扉の閉め忘れと考えられる異常を検知することでアラームを発するように構成されており、
前記リモコン装置は、少なくとも該リモコン装置による扉閉操作又は前記駐車設備から扉閉信号を受信することによって前記アラームを停止するように構成されている、ことを特徴とする機械式駐車設備の入出庫扉閉め忘れ防止システム。
【請求項２】
駐車設備の入出庫部と外部との区画を仕切る入出庫扉を備え、前記入出庫部で入出庫を行った利用者が前記入出庫扉を閉め忘れるのを防止する機械式駐車設備の入出庫扉閉め忘れ防止システムであって、
前記駐車設備の受信機に対して呼び操作信号を送信するリモコン装置を備え、
前記受信機は、前記リモコン装置との間で信号を送受信する送受信機であり、
前記リモコン装置は、前記呼び操作信号の送信後、前記入出庫扉の閉め忘れと考えられる異常を検知することでアラームを発するように構成されており、
前記リモコン装置は、前記駐車設備から扉閉信号を受信することによって前記アラームを停止するように構成されている、ことを特徴とする機械式駐車設備の入出庫扉閉め忘れ防止システム。
【請求項３】
前記機械式駐車設備は、前記入出庫扉の部分を通過する物体を検知する入出庫扉センサと、前記入出庫扉の内側の入出庫部に自動車が駐車されていることを検知する車検知センサと、を備え、
前記送受信機がリモコン装置による呼び操作信号を受信後、前記車検知センサによって空車を検知した状態で、前記入出庫扉センサによる入出庫部から外部に物体が出たことを検知した後、前記アラームを発する入出庫扉の閉め忘れと考えられる異常として、前記リモコン装置が駐車設備から一定距離を超えて離れたことを検知することで前記アラームを発するように構成されている、請求項１又は２に記載の機械式駐車設備の入出庫扉閉め忘れ防止システム。
【請求項４】
前記駐車設備は、前記呼び操作信号の受信後、前記送受信機から入出庫扉の扉開信号をリモコン装置に送信し、
前記リモコン装置は、前記入出庫扉の扉開信号を受信した後、前記アラームを発する入出庫扉の閉め忘れと考えられる異常の検知を開始するように構成されている、
請求項１〜３のいずれか１項に記載の機械式駐車設備の入出庫扉閉め忘れ防止システム。
【請求項５】
前記リモコン装置は、前記呼び操作信号を送信した後、前記アラームを発する入出庫扉の閉め忘れと考えられる異常の検知を開始するように構成されている、請求項１〜３のいずれか１項に記載の機械式駐車設備の入出庫扉閉め忘れ防止システム。
【発明の詳細な説明】
【技術分野】
【０００１】
本発明は、機械式駐車設備における入出庫扉の閉め忘れを防止するためのシステムに関する。
【背景技術】
【０００２】
従来、機械式駐車設備には、設備内外の区画を仕切る入出庫扉を備えたものがあり、駐車設備の機械動作中は設備内が無人の状態となるように入出庫扉を閉じている。このような駐車設備には、利用者がリモコンを携帯し、利用者自らがそのリモコンの操作によって入出庫扉の開閉操作をして入出庫を行うものがある。このような駐車設備において、例えば、利用者が出庫する場合、利用者がリモコンで駐車設備の受信機に対して呼び操作をすると、駐車設備の機械動作によって利用者の自動車が入出庫部に配置され、入出庫扉が開放される。その後、利用者は駐車設備の中に入り、自動車に乗り込んで出庫する。そして、出庫後に利用者はリモコンで入出庫扉を閉める。これにより、駐車設備は待機状態となる。
【０００３】
しかし、出庫後に駐車設備から離れた位置でリモコンによって入出庫扉を閉めようとしても信号が届かずに閉められない利用者や、入出庫扉を閉めることを忘れる利用者がいる。このような入出庫扉の閉め忘れが起こると、管理人や他の利用者が入出庫扉の閉操作を行なわなければ次の入出庫動作ができない。また、管理人や他の利用者が入出庫扉の閉操作を行なうと、入庫の場合には駐車設備内に利用者が取り残された状態で入出庫扉を閉めてしまうおそれがある。
【０００４】
なお、入出庫口の外部近傍でしかリモコン送信機で入出庫扉を閉められないようにする先行技術として、例えば、リモコン送信機による入出庫口の外部から外部リモコン受信機への扉開信号を受信すると入出庫口の扉を開放して車両を入庫させ、その後、この入出庫部から外に出た利用者のリモコン送信機による入出庫口の外部付近から入出庫部内の内部リモコン受信機への扉閉信号を受信すると入出庫口の扉を閉鎖するようにした機械式駐車設備の入出庫制御方法がある（例えば、特許文献１参照）。
【先行技術文献】
【特許文献】
【０００５】
【特許文献１】特開２００９−９１７９９号公報
【発明の概要】
【発明が解決しようとする課題】
【０００６】
しかし、上記特許文献１では、利用者が携帯しているリモコン送信機側に、機械式駐車設備からの信号を受信する機構は無く、入出庫扉を閉める操作が行われなかった時に、駐車設備側の情報等を用いてリモコン送信機を持った利用者に対して入出庫扉の閉め忘れを注意喚起することはできない。
【０００７】
そこで、本発明は、駐車設備側の情報を用いて利用者による入出庫扉の閉め忘れを防止するように注意喚起できる機械式駐車設備の入出庫扉閉め忘れ防止システムを提供することを目的とする。
【課題を解決するための手段】
【０００８】
上記目的を達成するために、本発明は、駐車設備の内部と外部との区画を仕切る入出庫扉を備えた機械式駐車設備の入出庫扉閉め忘れ防止システムであって、前記駐車設備の受信機に対して呼び操作信号を送信するリモコン装置を備え、前記リモコン装置は、前記呼び操作信号の送信後、前記入出庫扉の閉め忘れと考えられる異常を検知することでアラームを発するように構成されている。この明細書及び特許請求の範囲の書類中における「リモコン装置」は、利用者が携帯できる大きさで、駐車設備の送受信機との間で信号を送受信する機能と、アラームを発する機能を有するものをいう。また、「アラーム」は、「音」、「振動」、「光」等を含む。また、入出庫扉には、入出庫口の開口部を閉鎖状態にできる扉をはじめ、索状体やフェンスによる簡易的なものなども含む。
【０００９】
この構成により、リモコン装置から駐車設備に対して呼び操作信号を送信した後、リモコン装置が駐車設備から一定距離を超えて離れた、一定時間を経過した、などの入出庫扉の閉め忘れと考えられる異常を検知するとアラームを発して利用者に入出庫扉の閉め忘れを注意喚起することができる。
【００１０】
また、前記受信機は、前記リモコン装置との間で信号を送受信する送受信機であり、前記リモコン装置は、少なくとも該リモコン装置による扉閉操作又は駐車設備から扉閉信号を受信することによって前記アラームを停止するように構成されていてもよい。
【００１１】
このように構成すれば、リモコン装置がアラームを発している状態で、少なくともリモコン装置による扉閉操作又は駐車設備から扉閉信号を受信することによってリモコン装置のアラームを停止させることができる。
【００１２】
また、前記受信機は、前記リモコン装置との間で信号を送受信する送受信機であり、前記アラームを発する入出庫扉の閉め忘れと考えられる異常が、前記リモコン装置が前記送受信機に対して呼び操作信号を送信した後、該リモコン装置による扉閉操作又は駐車設備から扉閉信号を受信、しない状態で一定時間を経過したことであってもよい。
【００１３】
このように構成すれば、複雑な信号のやりとりを行なうことなく、呼び操作信号を送信した後、扉閉信号を受信しないまま一定時間を経過することで、入出庫扉の閉め忘れと考えられる異常としてアラームを発して利用者に入出庫扉の閉め忘れを注意喚起することができる。
【００１４】
また、前記受信機は、前記リモコン装置との間で信号を送受信する送受信機であり、前記アラームを発する入出庫扉の閉め忘れと考えられる異常が、前記リモコン装置が駐車設備から一定距離を超えて離れることであり、前記リモコン装置が前記送受信機に対して呼び操作信号を送信した後、前記リモコン装置が駐車設備から一定距離を超えて離れたことの監視を、前記リモコン装置から前記送受信機に送信する受信チェック信号の強弱で監視し、該受信チェック信号が所定値よりも弱くなると送受信機からリモコン装置にアラーム信号を発信してリモコン装置がアラームを発するように構成されていてもよい。
【００１５】
このように構成すれば、リモコン装置による呼び操作信号の送信後、リモコン装置が駐車設備から一定距離を超えて離れると、入出庫扉の閉め忘れと考えられる異常としてリモコン装置がアラームを発し、利用者に入出庫扉の閉め忘れを注意喚起することができる。
【００１６】
また、前記受信機は、前記リモコン装置との間で信号を送受信する送受信機であり、前記アラームを発する入出庫扉の閉め忘れと考えられる異常が、前記リモコン装置が駐車設備から一定距離を超えて離れることであり、前記リモコン装置が前記送受信機に対して呼び操作信号を送信した後、前記リモコン装置が駐車設備から一定距離を超えて離れたことの監視を、前記リモコン装置が前記送受信機から受信する受信チェック信号の強弱で監視し、該受信チェック信号が所定値よりも弱くなるとリモコン装置がアラームを発するように構成されていてもよい。
【００１７】
このように構成すれば、リモコン装置による呼び操作信号の送信後、リモコン装置が駐車設備から一定距離を超えて離れると、入出庫扉の閉め忘れと考えられる異常としてリモコン装置がアラームを発し、利用者に入出庫扉の閉め忘れを注意喚起することができる。
【００１８】
また、前記機械式駐車設備は、前記入出庫扉の部分を通過する物体を検知する入出庫扉センサと、前記入出庫扉の内側の入出庫部に自動車が駐車されていることを検知する車検知センサと、を備え、前記送受信機がリモコン装置による呼び操作信号を受信後、前記車検知センサによって自動車を検知した状態で、前記入出庫扉センサによる入出庫部から外部に物体が出たことを検知した後、前記入出庫扉の閉め忘れと考えられる異常を検知することで前記アラームを発するように構成されていてもよい。
【００１９】
このように構成すれば、利用者が入庫時に入出庫扉を閉め忘れて一定距離を超えて離れるなどの入出庫扉の閉め忘れと考えられる異常を検知すると、アラームを発して入出庫扉の閉め忘れを注意喚起することができる。
【００２０】
また、前記機械式駐車設備は、前記入出庫扉の部分を通過する物体を検知する入出庫扉センサと、前記入出庫扉の内側の入出庫部に自動車が駐車されていることを検知する車検知センサと、を備え、前記送受信機がリモコン装置による呼び操作信号を受信後、前記車検知センサによって空車を検知した状態で、前記入出庫扉センサによる入出庫部から外部に物体が出たことを検知した後、前記入出庫扉の閉め忘れと考えられる異常を検知することで前記アラームを発するように構成されていてもよい。
【００２１】
このように構成すれば、利用者が出庫時に入出庫扉を閉め忘れて一定距離を超えて離れるなどの入出庫扉の閉め忘れと考えられる異常を検知すると、アラームを発して入出庫扉の閉め忘れを注意喚起することができる。
【００２２】
また、前記駐車設備は、前記呼び操作信号の受信後、前記送受信機から入出庫扉の扉開信号をリモコン装置に送信し、前記リモコン装置は、前記入出庫扉の扉開信号を受信した後、前記アラームを発する入出庫扉の閉め忘れと考えられる異常の検知を開始するように構成されていてもよい。
【００２３】
このように構成すれば、リモコン装置が送受信機から入出庫扉の扉開信号を受信した後、リモコン装置が駐車設備から一定距離を超えて離れた、一定時間を経過した、などの入出庫扉の閉め忘れと考えられる異常を検知を開始することができ、リモコン装置の電池消耗を抑えることができる。
【発明の効果】
【００２４】
本発明によれば、入出庫扉の閉め忘れと考えられる異常を検知することでアラームを発して利用者に入出庫扉の閉め忘れを注意喚起することが可能となる。これにより、利用者による入出庫扉の閉め忘れを防止することができ、他の人が入出庫扉を閉鎖しなければならない状況も防止できる。
【図面の簡単な説明】
【００２５】
【図１】図１は本発明を適用する機械式駐車設備の一例を示す機械式駐車設備の入出庫部を示す斜視図である。
【図２】図２は図１に示す入出庫部の平面視におけるセンサ配置図である。
【図３】図３は本発明の第１実施形態に係る入出庫扉閉め忘れ防止システムのフローチャートである。
【図４】図４は本発明の第２実施形態に係る入出庫扉閉め忘れ防止システムのフローチャートである。
【図５】図５は本発明の第３実施形態に係る入出庫扉閉め忘れ防止システムのフローチャートである。
【図６】図６は本発明の第４実施形態に係る入出庫扉閉め忘れ防止システムのフローチャートである。
【図７】図７は本発明の第５実施形態に係る入出庫扉閉め忘れ防止システムのフローチャートである。
【発明を実施するための形態】
【００２６】
以下、本発明の実施形態を図面に基づいて説明する。以下の実施形態では、入出庫部の平面視が矩形状に形成された機械式駐車設備１（単に、「駐車設備１」ともいう）を例に説明する。
【００２７】
図１に示すように、この機械式駐車設備１は、自動車Ｖの乗入れ部分に入出庫口２を有しており、この入出庫口２に入出庫扉３が設けられている。入出庫扉３の中が入出庫部４（駐車室）となっている。
【００２８】
この機械式駐車設備１は、入出庫口２の側方に設けられた操作盤５とリモコン操作システムとを併用しており、自動車Ｖ内からリモコン装置６によって送受信機７に信号を送信することにより、入出庫部４にパレット８を配置して入出庫扉３を開放する呼び操作ができる。また、出庫後にリモコン装置６によって送受信機７に信号を送信することで入出庫扉３を閉鎖することができる。
【００２９】
この機械式駐車設備１の場合、利用者（入出庫者）は呼び操作によって入出庫部４に配置されたパレット８に自動車Ｖを駐車した後、入出庫口２から外へ出て、リモコン装置６の扉閉ボタンによって入出庫扉３を閉鎖することで入庫が完了する。また、呼び操作によって入出庫部４に配置されたパレット８の自動車Ｖに乗込んで入出庫口２から外へ出て、リモコン装置６の扉閉ボタンによって入出庫扉３を閉鎖することで出庫が完了する。
【００３０】
図２に示すように、この実施形態の機械式駐車設備１には、入出庫扉３の手前側に利用者や自動車が入出庫口２を通過したことを検知する入出庫扉センサ１０が設けられている。また、入出庫部４には、自動車Ｖが駐車位置９よりも手前側にはみ出していることを検知する第１センサ１１と、自動車Ｖが駐車位置９より奥側にはみ出していることを検知する第２センサ１２と、入出庫部４内に自動車Ｖが存在することを検知する車検知センサ１３とが設けられている。このような機械式駐車設備１において、利用者と自動車が入出庫扉３の位置を通過したことの検知は以下のようになっている。
【００３１】
上記したように複数のセンサが設けられた機械式駐車設備１において、自動車Ｖを入庫させる場合、利用者が呼び操作をすることにより、所定のパレット８が入出庫部４に配置され、車検知センサ１３がＯＦＦ（空車）の状態で入出庫扉３が開放される。その後、利用者は自動車を運転して入出庫部４内に入り、第２センサ１２及び第１センサ１１がＯＦＦの状態で、車検知センサ１３がＯＮ（実車）の状態となった所定の駐車位置９に停車させる。そして、自動車Ｖを検知している状態で、入出庫扉センサ１０がＯＮとなることで、利用者が入出庫部４から出たことを検知することができる。
【００３２】
一方、自動車Ｖを出庫する場合、利用者が呼び操作をすることで、所定位置に格納されている自動車Ｖが入出庫部４に配置され、車検知センサ１３がＯＮ（実車）の状態で入出庫扉３が開放される。その後、利用者が入出庫部４に入り、自動車を運転して入出庫口２から出る。これにより、車検知センサ１３及び入出庫扉センサ１０、第１センサ１１、第２センサ１２の全てがＯＦＦとなり、自動車Ｖが入出庫扉３を通過して出たことを検知することができる。
【００３３】
次に、図３〜図７のフローチャートに基づいて、上記機械式駐車設備１において、利用者による入出庫扉３の閉め忘れを防止する入出庫扉閉め忘れ防止システム２１〜２５を説明する。以下のフローチャートでは、「利用者の動き」と「リモコン装置６」と「駐車設備１（送受信機７）」との間での流れを説明する。また、利用者がリモコン装置６を持った状態で移動するものとする。さらに、以下に示す実施形態において、リモコン装置６は、少なくとも呼び操作ボタンとアラームとを備え、実施形態の構成に応じて、信号受信機能、タイマー、扉閉ボタン、アラーム停止ボタンを備えるようにすることができる。
【００３４】
＜第１実施形態＞
図３は、第１実施形態に係る入出庫扉閉め忘れ防止システム２１のフローチャートであり、入出庫扉３が開いた状態で、利用者（リモコン装置６）が機械式駐車設備１から一定距離を超えて離れたらアラームがＯＮとなる例である。この例では、リモコン装置６がアラームのＯＮ／ＯＦＦを判断する。
【００３５】
まず、利用者が機械式駐車設備１に近づき、リモコン装置６によって呼び操作をする（Ｓ１）。これにより、リモコン装置６は、電源がＯＮとなり、アラーム処理が開始される（Ｓ２）。
【００３６】
一方、駐車設備１では、呼び動作が開始され（Ｓ３）、待機状態から機械動作が開始されて利用者のパレット８が入出庫部４に搬送され、入出庫扉３が開放される。入出庫扉３が開放されると、駐車設備１からリモコン装置６に入出庫扉３が開放している扉開信号の発信が開始される（Ｓ４）。リモコン装置６ではこの扉開信号を受信した後（Ｓ５）、送受信機７からの受信チェック信号を受信しているか否かの処理（Ｓ６）が、入出庫扉３の扉閉信号を受信するまで繰り返される（Ｓ７）。この場合、受信チェック信号は扉開信号であってもよい。なお、呼び操作後、一定時間経っても扉開信号を受信しなければ、アラーム処理を終了してもよい。
【００３７】
また、利用者は、入出庫扉３が開放されると、入出庫動作を行なう（Ｓ８）。この入出庫動作中も、駐車設備１からリモコン装置６に扉開信号が発信されており、リモコン装置６による受信チェック（Ｓ６）は、入出庫扉３の扉閉信号を受信しない間は（Ｓ７）は繰り返される。
【００３８】
そして、入出庫扉３が開放している状態で、駐車設備１の近くにいた利用者（リモコン装置６）が一定距離を超えて離れると（Ｓ９）、リモコン装置６が受信する扉開信号が所定値より弱くなるか、扉開信号を受信できなくなり、入出庫扉３の閉め忘れと考えられる異常としてアラームがＯＮとなる（Ｓ１０）。これにより、入出庫扉３の閉め忘れと考えられる異常が生じていることを利用者に対して注意喚起する。このアラームとしては、音を鳴らす他、リモコン装置６の振動、ライト点灯等でもよい。このアラームがＯＮの状態でも、扉開信号の受信チェックが行なわれており（Ｓ１１）、入出庫扉３が開いている間、常に扉開信号の受信チェックが行なわれる。このリモコン装置６による扉開信号の受信チェックにより、受信できない場合には、一定距離を超えて離れていると判断され、アラームがＯＮの状態が保たれる（Ｓ１０）。
【００３９】
その後、利用者（リモコン装置６）が駐車設備１の近くに戻り、受信チェックによって扉開信号が受信されると、アラームはＯＦＦとなる（Ｓ１２）。
【００４０】
そして、利用者による扉閉操作により（Ｓ１３）、利用者の操作は終了する。駐車設備１は、この扉閉信号の受信により、入出庫扉３が閉鎖される（Ｓ１４）。この扉閉操作は、操作盤５で行なってもよい。入出庫扉３の閉鎖とともに、扉開信号の発信が停止され、送受信機７から扉閉信号が発信される（Ｓ１５）。リモコン装置６が扉閉信号を受信すると（Ｓ７）、アラーム処理を終了して、電源がＯＦＦとなる（Ｓ１６）。また、駐車設備１の処理も終了する（Ｓ１７）。
【００４１】
また、この実施形態では、利用者による扉閉操作（Ｓ１３）についても判定されており（Ｓ１８）、この判定（Ｓ１８）によって扉閉操作（Ｓ１３）が行なわれたことを検知することでも、アラーム処理を終了して、電源がＯＦＦとなる（Ｓ１６）。この実施形態では、操作盤５による扉閉操作も可能な場合を説明しており、リモコン装置６の扉閉操作、送受信機７からの扉閉信号の受信（Ｓ７）のいずれでもアラーム処理を終了して、電源がＯＦＦとなるようにしているが、扉閉が可能な構成によってはいずれか一方でもよい。リモコン装置６の扉閉操作でアラーム処理を終了させる場合、駐車設備１の送受信機７からの扉閉信号の発信（Ｓ１５）は無くてもよく、扉閉受信（Ｓ７）は扉閉操作（Ｓ１８）となる。この場合、図示する一点鎖線の枠Ａは無くなる。
【００４２】
なお、この例では、リモコン装置６が駐車設備１から一定距離を超えて離れるとアラームを発し（Ｓ１０）、一定距離内に戻るか入出庫扉３が閉められるまでアラームを発している例を説明したが、一定時間アラームを発して利用者に注意喚起した後、アラームを止めてアラーム処理を終了してもよい。アラームは、利用者に対して入出庫扉３の閉め忘れと考えられる異常を知らせることができればよい。
【００４３】
＜第２実施形態＞
図４は、第２実施形態に係る入出庫扉閉め忘れ防止システム２２のフローチャートであり、入出庫扉３が開いた状態で、利用者（リモコン装置６）が機械式駐車設備１から離れた場合にアラームがＯＮとなる例である。この例では、駐車設備１がアラームのＯＮ／ＯＦＦを判断する。
【００４４】
まず、利用者が機械式駐車設備１に近づき、リモコン装置６によって呼び操作をする（Ｓ２１）。これにより、リモコン装置６は、電源がＯＮとなり、アラーム処理が開始される（Ｓ２２）。
【００４５】
一方、駐車設備１では、呼び動作が開始され（Ｓ２３）、待機状態から機械動作が開始されて利用者のパレット８が入出庫部４に搬送され、入出庫扉３が開放される。入出庫扉３が開放されると、駐車設備１からリモコン装置６に入出庫扉３が開放している扉開信号が発信される（Ｓ２４）。なお、呼び操作後、一定時間経っても扉開信号を受信しなければ、アラーム処理を終了してもよい。
【００４６】
そして、リモコン装置６では、この扉開信号を受信した後（Ｓ２５）、受信チェック信号の発信を開始する（Ｓ２６）。この受信チェック信号は駐車設備１において受信チェックされる（Ｓ２７）。なお、この実施形態では、リモコン装置６が扉開信号を受信した後（Ｓ２５）、受信チェック信号の発信を開始しているが（Ｓ２６）、リモコン装置６によるアラーム処理開始（Ｓ２２：呼び操作信号の発信）後に受信チェック信号の発信を開始（Ｓ２６）するようにしてもよい。すなわち、図示する一点鎖線の枠Ｂが無くてもよい。利用者は、入出庫扉３が開放されと、入出庫動作を行なう（Ｓ２８）。
【００４７】
また、駐車設備１では、受信チェック信号の受信チェックを繰り返し（Ｓ２７）、信号の強弱で利用者（リモコン装置６）が駐車設備１から離れたか否かの判断をする。利用者（リモコン装置６）が一定距離を超えて離れ（Ｓ２９）、送受信機７が受信する受信チェック信号が所定値よりも弱くなるか、受信できなくなると離れたと判断し、入出庫扉３の閉め忘れと考えられる異常としてアラームＯＮ信号が発信される（Ｓ３０）。
【００４８】
リモコン装置６では、アラームＯＮ信号の受信がチェックされており（Ｓ３１）、このアラームＯＮ信号を受信するとアラームＯＮとなる（Ｓ３２）。これにより、利用者に対して入出庫扉３の閉め忘れと考えられる異常について注意喚起される。このアラームＯＮは、アラームＯＦＦ信号を受信するまで保たれる（Ｓ３３）。このアラームも、音を鳴らす代わりに振動、ライト点灯等でもよい。
【００４９】
その後、利用者（リモコン装置６）が駐車設備１の近くに戻ることにより、駐車設備１における受信チェック（Ｓ３４）でリモコン装置６からの扉開信号を受信するか、受信強度が所定値以上になると、アラームＯＦＦ信号を発信する（Ｓ３５）。リモコン装置６がこのアラームＯＦＦ信号を受信すると（Ｓ３３）、アラームＯＦＦとする（Ｓ３６）。
【００５０】
そして、利用者による扉閉操作により（Ｓ３７）、利用者の操作は終了する。駐車設備１は、この扉閉信号の受信により、入出庫扉３が閉鎖される（Ｓ３８）。この扉閉操作は、操作盤５で行なってもよい。この入出庫扉３の閉鎖とともに、扉閉信号が発信される（Ｓ３９）。リモコン装置６が扉閉信号を受信すると（Ｓ４０）、扉開信号の発信を終了し（Ｓ４１）、アラーム処理を終了して、電源がＯＦＦとなる（Ｓ４２）。また、駐車設備１の処理も終了する（Ｓ４３）。
【００５１】
なお、この例でも、上記第１実施形態で説明したように、扉閉受信（Ｓ４０）に代えてリモコン装置６による扉閉操作（Ｓ１８）でアラーム処理を終了するようにしてもよい（この場合、図示する一点鎖線の枠Ａは無くてよい）。また、一定時間アラームを発して利用者に知らせた後、アラームを止めてアラーム処理を終了してもよい。
【００５２】
＜第３実施形態＞
図５は、第３実施形態に係る入出庫扉閉め忘れ防止システム２３のフローチャートであり、入出庫扉が開いた状態で、利用者（リモコン装置６）が機械式駐車設備１から離れたらアラームがＯＮとなる例である。この例では、リモコン装置６がアラームのＯＮ／ＯＦＦを判断する。
【００５３】
まず、利用者が機械式駐車設備１に近づき、リモコン装置６によって呼び操作をする（Ｓ５１）。これにより、リモコン装置６は、電源がＯＮとなり、アラーム処理が開始される（Ｓ５２）。
【００５４】
一方、駐車設備１では、呼び動作が開始され（Ｓ５３）、待機状態から機械動作が開始されて利用者のパレット８が入出庫部４に搬送され、入出庫扉３が開放される。入出庫扉３が開放されと、利用者は入出庫動作を行なう（Ｓ５４）。
【００５５】
この入出庫動作では、上記図２で説明したように、入庫動作の場合は、自動車Ｖを入出庫部４に入庫し、実車が車検知センサ１３で検知された状態で、利用者が入出庫扉３の部分を通過して出たことが入出庫扉センサ１０で検知される。また、出庫動作の場合は、利用者が入出庫部４の自動車Ｖに乗り、入出庫扉３の部分を通過して出たことが入出庫扉センサ１０で検知され、空車になったことが車検知センサ１３で検知される。このように、入出庫動作において、利用者又は自動車が駐車設備１の入出庫扉３の部分を通過して出たことが検知される（Ｓ５５）。つまり、入出庫動作が完了して、利用者又は自動車が入出庫部４から入出庫扉３の部分を通過して出たことが検知される。
【００５６】
そして、この利用者又は自動車が入出庫扉３の部分を通過して出たことを検知した後、駐車設備１からリモコン装置６に対して入出庫扉３が開放している扉開信号の発信が開始される（Ｓ５６）。リモコン装置６では、この扉開信号を受信したか否かの処理が繰り返されており（Ｓ５７）、この扉開信号の受信後は、受信チェックが繰り返される（Ｓ５８）。この扉開信号の受信チェックは、利用者（リモコン装置６）が駐車設備１の近くにいる場合は、駐車設備１から入出庫扉３の扉閉信号を受信するまで繰り返される（Ｓ５９）。なお、呼び操作後、一定時間経っても扉開信号を受信しなければ、アラーム処理を終了してもよい。
【００５７】
上記入出庫扉３が開放している状態で、利用者（リモコン装置６）が駐車設備１から一定距離を超えて離れた場合（Ｓ６０）、リモコン装置６が受信する扉開信号が所定値より弱くなるか、扉開信号を受信できなくなる（Ｓ５８）。これにより、入出庫扉３の閉め忘れと考えられる異常としてアラームＯＮとなる（Ｓ６１）。このアラームとしては、音を鳴らす他、リモコン装置６の振動、ライト点灯等でもよい。このアラームＯＮの状態でも、利用者（リモコン装置６）が駐車設備１から一定距離を超えて離れている間、常に扉開信号の受信チェックが行なわれている（Ｓ６２）。扉開信号を受信できない場合、アラームＯＮの状態が保たれる（Ｓ６１）。
【００５８】
その後、利用者（リモコン装置６）が駐車設備１の近くに戻ることにより、受信チェックによって扉開信号が受信され（Ｓ６２）、アラームＯＦＦとなる（Ｓ６３）。
【００５９】
そして、利用者による扉閉操作により（Ｓ６４）、利用者の操作は終了する。駐車設備１は、この扉閉信号の受信により、入出庫扉３が閉鎖される（Ｓ６５）。この扉閉操作は、操作盤５で行なってもよい。この入出庫扉３の閉鎖とともに、扉開信号の発信が停止され、扉閉信号が発信される（Ｓ６６）。リモコン装置６が扉閉信号を受信すると（Ｓ５９）、アラーム処理を終了して、電源がＯＦＦとなる（Ｓ６７）。また、駐車設備１の処理も終了する（Ｓ６８）。
【００６０】
このように、第３実施形態の場合、駐車設備１にて利用者又は自動車が入出庫扉３の部分を通過したことを検知してから扉開発信を開始している。そのため、上記第１実施形態では、入出庫扉３が開放したら入出庫中は常にリモコン装置６が扉開受信をする必要があるので入出庫部４内も扉開発信をする必要があるのに対して、この第３実施形態では、利用者又は自動車が入出庫扉３の部分を通過して出てから扉開発信をするので、扉開発信をするエリアを入出庫扉３の外側に限定できる。従って、扉開発信をする構成を小型化することができる。なお、この例でも、上記第１実施形態で説明したように、扉閉受信（Ｓ５９）に代えてリモコン装置６による扉閉操作（Ｓ１８）でアラーム処理を終了するようにしてもよい（この場合、図示する一点鎖線の枠Ａは無くてよい）。また、一定時間アラームを発して利用者に知らせた後、アラームを止めてアラーム処理を終了してもよい。
【００６１】
＜第４実施形態＞
図６は、第４実施形態に係る入出庫扉閉め忘れ防止システム２４のフローチャートであり、入出庫扉３が開いた状態で、一定時間が経過したらアラームをＯＮにする例である。この例では、リモコン装置６がアラームのＯＮ／ＯＦＦを判断する。
【００６２】
まず、利用者が機械式駐車設備１に近づき、リモコン装置６によって呼び操作をする（Ｓ７１）。これにより、リモコン装置６は、電源がＯＮとなり、アラーム処理が開始される（Ｓ７２）。
【００６３】
一方、駐車設備１では、呼び動作が開始され（Ｓ７３）、待機状態から機械動作が開始されて利用者のパレット８が入出庫部４に搬送され、入出庫扉３が開放される。入出庫扉３が開放されると、駐車設備１からリモコン装置６に対して入出庫扉３が開放している扉開信号が発信される（Ｓ７４）。
【００６４】
そして、リモコン装置６では、この扉開信号の受信によって（Ｓ７５）、扉開放置タイマーが作動する（Ｓ７６）。なお、この実施形態でも、リモコン装置６によるアラーム処理開始（Ｓ７２：呼び操作信号の発信）後に扉開放置タイマーが作動（Ｓ７６）するようにして、図示する一点鎖線の枠Ｂは無くてもよい。さらに、呼び操作後、一定時間経っても扉開信号を受信しなければ、アラーム処理を終了してもよい。
【００６５】
また、利用者は、入出庫扉３が開放されると、入出庫動作を行なう（Ｓ７７）。この入出庫動作中、扉閉信号を受信するまで扉開放置タイマーによる時間監視は行なわれており（Ｓ７８）、その時間が一定時間内であるか否かのチェックが繰り返される（Ｓ７６）。
【００６６】
そして、入出庫扉３を開放した状態で、扉閉信号を受信しないまま扉開放置タイマーの一定時間を経過すると、入出庫扉３の閉め忘れと考えられる異常としてアラームＯＮとなる（Ｓ７９）。このアラームも、音を鳴らす他、リモコン装置６の振動、ライト点灯等でもよい。
【００６７】
その後、利用者による扉閉操作により（Ｓ８０）、利用者の操作は終了する。駐車設備１は、この扉閉信号の受信により、入出庫扉３が閉鎖される（Ｓ８１）。この扉閉操作は、操作盤５で行なってもよい。この入出庫扉３の閉鎖とともに、扉閉信号が発信される（Ｓ８２）。リモコン装置６が扉閉信号を受信すると（Ｓ８３）、アラームＯＦＦとなり（Ｓ８４）、アラーム処理を終了して、電源がＯＦＦとなる（Ｓ８５）。また、駐車設備１の処理も終了する（Ｓ８６）。
【００６８】
なお、この例では、リモコン装置６で入出庫扉３を開放後、一定時間を経過した後は、入出庫扉３を閉めるまでアラームを発する例を説明したが、一定時間アラームを発して利用者に知らせた後、アラームを止めてアラーム処理を終了してもよい。また、上記第１実施形態で説明したように、扉閉受信（Ｓ７８，Ｓ８３）に代えてリモコン装置６による扉閉操作（Ｓ１８）でアラーム処理を終了するようにしてもよい（この場合、図示する一点鎖線の枠Ａは無くてよい）。アラームは、利用者に対して入出庫扉３の閉め忘れと考えられる異常が生じていることを注意喚起できればよい。
【００６９】
＜第５実施形態＞
図７は、第５実施形態に係る入出庫扉閉め忘れ防止システム２５のフローチャートであり、入出庫扉３が開いた状態で、一定時間が経過したらアラームがＯＮとなる例である。この例では、駐車設備１がアラームのＯＮ／ＯＦＦを判断する。
【００７０】
まず、利用者が機械式駐車設備１に近づき、リモコン装置６によって呼び操作をする（Ｓ９１）。これにより、リモコン装置６は、電源がＯＮとなり、アラーム処理が開始される（Ｓ９２）。
【００７１】
一方、駐車設備１では、呼び動作が開始され（Ｓ９３）、待機状態から機械動作が開始されて利用者のパレット８が入出庫部４に搬送され、入出庫扉３が開放される。入出庫扉３が開放されると、扉開信号が発信され（Ｓ９４）、駐車設備１において扉開放置タイマーが作動する（Ｓ９５）。また、リモコン装置６では、扉開信号の受信によって（Ｓ９６）、アラームＯＮ信号の受信チェックが開始される（Ｓ１００）。なお、この実施形態でも、リモコン装置６によるアラーム処理開始（Ｓ９２：呼び操作信号の発信）後にアラームＯＮ信号の受信チェックが開始（Ｓ１００）するようにして、図示する一点鎖線の枠Ｂは無くてもよい。さらに、呼び操作後、一定時間経っても扉開信号を受信しなければ、アラーム処理を終了してもよい。
【００７２】
また、利用者は、入出庫扉３が開放されると、入出庫動作を行なう（Ｓ９７）。この入出庫動作中、扉開放置タイマーによる時間監視は行なわれており（Ｓ９５）、入出庫扉３が閉じられない状態で一定時間内であるか否かのチェックが繰り返される（Ｓ９８）。
【００７３】
そして、入出庫扉３を開放した状態で、扉開放置タイマーの一定時間を経過すると、入出庫扉３の閉め忘れと考えられる異常としてアラームＯＮ信号が発信される（Ｓ９９）。リモコン装置６では、扉開信号を受信した後（Ｓ９６）、扉閉信号を受信するまで（Ｓ１０１）、アラームＯＮの受信チェックがされており（Ｓ１００）、このリモコン装置６がアラームＯＮ信号を受信すると（Ｓ１００）、アラームＯＮとなる（Ｓ１０２）。このアラームも、音を鳴らす他、リモコン装置６の振動、ライト点灯等でもよい。
【００７４】
その後、利用者による扉閉操作により（Ｓ１０３）、利用者の操作は終了する。駐車設備１は、この扉閉信号の受信により、入出庫扉３が閉鎖される（Ｓ９８，Ｓ１０４）。扉閉操作は、操作盤５で行なってもよい。この入出庫扉３の閉鎖とともに、扉閉信号が発信される（Ｓ１０５）。リモコン装置６が扉閉信号を受信すると（Ｓ１０６）、アラームがＯＦＦとなり（Ｓ１０７）、アラーム処理を終了して、電源がＯＦＦとなる（Ｓ１０８）。また、駐車設備１の処理も終了する（Ｓ１０９）。
【００７５】
なお、この例でも、上記第１実施形態で説明したように、扉閉受信（Ｓ１０１，Ｓ１０６）に代えてリモコン装置６による扉閉操作（Ｓ１８：図１）でアラーム処理を終了するようにしてもよい（この場合、図示する一点鎖線の枠Ａは無くてよい）。さらに、一定時間アラームを発して利用者に知らせた後、アラームを止めてアラーム処理を終了してもよい。
【００７６】
以上のように、上記した入出庫扉閉め忘れ防止システム２１〜２５によれば、入出庫扉３が開放された状態で、機械式駐車設備１から利用者（リモコン装置６）が一定距離を超えて離れた場合や、一定時間が経過した場合など、入出庫扉３の閉め忘れと考えられる異常が起こった際に、リモコン装置６と機械式駐車設備１の送受信機７との間で入出庫扉３の開閉状態又はアラームＯＮ、ＯＦＦの信号を適切に送受信し、利用者のリモコン装置６が、音を鳴らす、振動する、光る等のアラームを発することで、利用者に対して入出庫扉３が開放した状態であることを注意喚起して入出庫扉３の閉め忘れを防止することが可能となる。
【００７７】
しかも、入庫時は、自動車を所定の駐車位置に停車させた後、入出庫扉３の部分を利用者が通過した後のタイミング、出庫時は、利用者が駐車設備１内に入り、自動車Ｖに乗り込んで入出庫扉３の部分を通過した後のタイミングなど、機械式駐車設備１によって生じる入出庫扉３の閉め忘れと考えられる異常に対応して、適切なタイミングで入出庫扉３の閉め忘れを検知してリモコン装置６のアラームで知らせることが可能となる。
【００７８】
その上、上記したリモコン装置６のアラームとしては、音を鳴らす他、振動させる、光らせる、及び複数の手段の組み合わせ等で利用者に入出庫扉３の閉め忘れと考えられる異常を知らせることができ、利用条件に応じて入出庫扉３の閉め忘れを知らせることが可能である。
【００７９】
従って、利用者はリモコン装置６がアラームを発したことで入出庫扉３の閉め忘れに気付き、入出庫扉３を閉める行為を適切に行なうことができ、入出庫扉３の閉め忘れを防止することが可能となる。
【００８０】
なお、上記した実施形態では、入出庫部４に入出庫扉センサ１０、第１センサ１１、第２センサ１２、車検知センサ１３を有する機械式駐車設備１を例に説明したが、入出庫部４において映像で自動車や利用者を認識するセンサが設けられた機械式駐車設備であっても、またこれらのセンサを備えない機械式駐車設備１でも利用でき、機械式駐車設備１の構成などは上記実施形態に限定されるものではない。
【００８１】
また、上記した実施形態におけるリモコン装置６のアラームは、音を鳴らす、振動させる、光らせる、など単独のアラームを発するものや、複数のアラームを同時に発するもの、他のアラームを発するものであってもよく、上記実施形態に限定されるものではない。
【００８２】
さらに、上記した実施形態は一例を示しており、各実施形態における構成の組み合わせや複数の実施形態を組み合わせることもでき、本発明の要旨を損なわない範囲での種々の変更は可能であり、本発明は上記した実施形態に限定されるものではない。
【産業上の利用可能性】
【００８３】
本発明に係る機械式駐車設備の入出庫扉閉め忘れ防止システムは、利用者がリモコンを操作して入出庫扉を開閉する機械式駐車設備において利用することができる。
【符号の説明】
【００８４】
１  機械式駐車設備
２  入出庫口
３  入出庫扉
４  入出庫部
５  操作盤
６  リモコン装置
７  送受信機
８  パレット
１０  入出庫扉センサ
１３  車検知センサ
２１〜２５  入出庫扉閉め忘れ防止システム
Ｖ  自動車
【図１】
0006401547.tif 000002
【図２】
0006401547.tif 000003
【図３】
0006401547.tif 000004
【図４】
0006401547.tif 000005
【図５】
0006401547.tif 000006
【図６】
0006401547.tif 000007
【図７】
0006401547.tif 000008